(57)【要約】【課題】支柱に笠木が傾斜した状態で掛け渡されている手摺りにおいて、支柱と笠木との連結部位のノイズレス化によって意匠性を向上させること。【解決手段】手摺りは、１本以上の中間柱３と、中間柱３に傾斜した状態で取り付けられる笠木５と、中間柱３および笠木５を互いに連結する取付金具７と、を備えている。取付金具７は、タッピンねじ１７で中間柱３に固定される中間柱固定部７３を有するとともに、皿ねじ１８で笠木５に固定される笠木固定部７４を有する金具ベース７１と、この金具ベース７１の中間柱固定部７３を覆い隠した状態でタッピンねじ１７で中間柱３に固定される金具カバー７２と、を含んでいる。笠木５は、笠木本体５１と、この笠木本体５１の内周面に金具ベース７１の笠木固定部７４および皿ねじ１８を覆い隠すように取り付けられる内周面カバー５９と、を含んでいる。【選択図】図５
2018100570.tif 000002
【特許請求の範囲】
【請求項１】
１本以上の支柱と、
前記支柱に傾斜した状態で取り付けられる笠木と、
前記支柱および前記笠木を互いに連結する連結部材と、を備えている手摺りであって、
前記連結部材は、第１固定手段で前記支柱に固定される支柱固定部を有するとともに、第２固定手段で前記笠木に固定される笠木固定部を有する連結部材ベースと、この連結部材ベースの前記支柱固定部を覆い隠した状態で第３固定手段で前記支柱に固定される連結部材カバーと、を含み、
前記笠木は、笠木本体と、この笠木本体の内周面に前記連結部材ベースの前記笠木固定部および前記第２固定手段を覆い隠すように取り付けられる内周面カバーと、を含んでいる手摺り。
【請求項２】
前記連結部材カバーは、前記笠木の傾斜角度に応じて前記支柱と前記笠木との隙間を埋めるように形成されている請求項１に記載の手摺り。
【請求項３】
前記連結部材ベースは、前記支柱固定部および前記笠木固定部が略Ｔ字形に連設されている請求項１または２に記載の手摺り。
【請求項４】
前記連結部材カバーは、前記支柱に前記連結部材ベースと共締めされている請求項１から３までのいずれかに記載の手摺り。
【請求項５】
前記笠木は、前記笠木本体の全長にわたって前記内周面カバーが設けられている請求項１から４までのいずれかに記載の手摺り。
【請求項６】
請求項１から５までのいずれかに記載の手摺りの製造方法であって、
前記支柱に前記第１固定手段で前記連結部材ベースの前記支柱固定部を固定する第１連結部材ベース固定工程と、
前記笠木に前記第２固定手段で前記連結部材ベースの前記笠木固定部を固定する第２連結部材ベース固定工程と、
前記連結部材ベースに前記第３固定手段で前記連結部材カバーを前記連結部材ベースの前記支柱固定部を覆い隠した状態で固定する連結部材カバー固定工程と、
前記笠木の前記笠木本体の内周面に前記内周面カバーを前記第２固定手段および前記連結部材ベースの前記笠木固定部を覆い隠すように取り付ける内周面カバー取付工程と、を含む手摺りの製造方法。
【請求項７】
前記第１連結部材ベース固定工程および前記連結部材カバー固定工程において、前記第１固定手段を前記第３固定手段として兼用することにより、前記連結部材ベースおよび前記連結部材カバーを同時に前記支柱に固定する請求項６に記載の手摺りの製造方法。
【発明の詳細な説明】
【技術分野】
【０００１】
本発明は、例えば、階段、スロープ（傾斜面）等に併設される手摺りおよびその製造方法に関する。
【背景技術】
【０００２】
通常、この種の手摺りにおいては、階段やスロープ等の地面が段差を持っていたり傾いていたりすることに対応して、垂直に立設された１本以上の支柱（端部柱、中間柱など）の上側に笠木が傾斜した状態で掛け渡されている。このような手摺りでは、支柱の上側に専用のブラケット（連結部材）を介して笠木を連結する技術（以下、公知技術１という。）が提案されていた（例えば、特許文献１、２参照）。
【先行技術文献】
【特許文献】
【０００３】
【特許文献１】特開２００８−２４０２８０号公報
【特許文献２】特開２００９−４６９４３号公報
【発明の概要】
【発明が解決しようとする課題】
【０００４】
しかしながら、公知技術１では、手摺りの外観上、すべてのブラケットが露出してノイズになるため、笠木が支柱から分断されて手摺り全体の統一を欠き、ひいては手摺りの意匠性が低下してしまう。
【０００５】
本発明は、このような事情に鑑み、支柱に笠木が傾斜した状態で掛け渡されていても、支柱と笠木との連結部位のノイズレス化によって意匠性を向上させることが可能な手摺りおよびその製造方法を提供することを目的とする。
【課題を解決するための手段】
【０００６】
本発明に係る手摺り（例えば、後述の手摺り１）は、１本以上の支柱（例えば、後述の中間柱３）と、前記支柱に傾斜した状態で取り付けられる笠木（例えば、後述の笠木５）と、前記支柱および前記笠木を互いに連結する連結部材（例えば、後述の取付金具７）と、を備えている手摺りであって、前記連結部材は、第１固定手段（例えば、後述のタッピンねじ１７）で前記支柱に固定される支柱固定部（例えば、後述の中間柱固定部７３）を有するとともに、第２固定手段（例えば、後述の皿ねじ１８）で前記笠木に固定される笠木固定部（例えば、後述の笠木固定部７４）を有する連結部材ベース（例えば、後述の金具ベース７１）と、この連結部材ベースの前記支柱固定部を覆い隠した状態で第３固定手段（例えば、後述のタッピンねじ１７）で前記支柱に固定される連結部材カバー（例えば、後述の金具カバー７２）と、を含み、前記笠木は、笠木本体（例えば、後述の笠木本体５１）と、この笠木本体の内周面に前記連結部材ベースの前記笠木固定部および前記第２固定手段を覆い隠すように取り付けられる内周面カバー（例えば、後述の内周面カバー５９）と、を含んでいる。
【０００７】
前記連結部材カバーは、前記笠木の傾斜角度（例えば、後述の傾斜角度θ）に応じて前記支柱と前記笠木との隙間を埋めるように形成されていてもよい。
【０００８】
前記連結部材ベースは、前記支柱固定部および前記笠木固定部が略Ｔ字形に連設されていてもよい。
【０００９】
前記連結部材カバーは、前記支柱に前記連結部材ベースと共締めされていてもよい。
【００１０】
前記笠木は、前記笠木本体の全長にわたって前記内周面カバーが設けられていてもよい。
【００１１】
本発明に係る手摺りの製造方法は、上記手摺りの製造方法であって、前記支柱に前記第１固定手段で前記連結部材ベースの前記支柱固定部を固定する第１連結部材ベース固定工程と、前記笠木に前記第２固定手段で前記連結部材ベースの前記笠木固定部を固定する第２連結部材ベース固定工程と、前記連結部材ベースに前記第３固定手段で前記連結部材カバーを前記連結部材ベースの前記支柱固定部を覆い隠した状態で固定する連結部材カバー固定工程と、前記笠木の前記笠木本体の内周面に前記内周面カバーを前記第２固定手段および前記連結部材ベースの前記笠木固定部を覆い隠すように取り付ける内周面カバー取付工程と、を含む。
【００１２】
前記第１連結部材ベース固定工程および前記連結部材カバー固定工程において、前記第１固定手段を前記第３固定手段として兼用することにより、前記連結部材ベースおよび前記連結部材カバーを同時に前記支柱に固定してもよい。
【発明の効果】
【００１３】
本発明によれば、支柱に笠木が傾斜した状態で掛け渡されている手摺りにおいて、支柱と笠木との連結部位のノイズレス化により、意匠性を向上させることが可能となる。
【図面の簡単な説明】
【００１４】
【図１】本発明の実施形態に係る手摺りを示す全体正面図である。
【図２】本発明の実施形態に係る手摺りの端部連結部位を示す斜視図である。
【図３】本発明の実施形態に係る手摺りの中央部連結部位を示す斜視図である。
【図４】本発明の実施形態に係る手摺りの端部連結部位の組立手順を示す工程図である。
【図５】本発明の実施形態に係る手摺りの中央部連結部位の組立手順を示す工程図である。
【発明を実施するための形態】
【００１５】
以下、本発明の実施形態の一例について説明する。
図１は、この実施形態に係る手摺りを示す全体正面図である。図２は、この実施形態に係る手摺りの端部連結部位を示す斜視図である。図３は、この実施形態に係る手摺りの中央部連結部位を示す斜視図である。図４は、この実施形態に係る手摺りの端部連結部位の組立手順を示す工程図である。図５は、この実施形態に係る手摺りの中央部連結部位の組立手順を示す工程図である。
【００１６】
この手摺り１は、スロープに併設されるものであり、図１に示すように、左右一対のアルミニウム製の端部柱２と、これらの端部柱２の左右方向の中間に位置する支柱としてのアルミニウム製の中間柱３と、これらの端部柱２および中間柱３の上側に傾斜して掛け渡されるアルミニウム製の笠木５と、各端部柱２の上端部および笠木５の端部を互いに連結するアルミニウム製の継手６と、中間柱３の上端部および笠木５の中央部を互いに連結する連結部材としての取付金具７（図５参照）と、を備えている。なお、笠木５の傾斜角度θは、スロープの地面Ｇの勾配に対応している。
【００１７】
各端部柱２は、それぞれ、図１、図２および図４（ａ）に示すように、角柱状の柱本体２１を有している。柱本体２１の内部の上端部近傍には、２つの螺合部２２が柱本体２１と一体に形成されている。各端部柱２は、それぞれ、平面状の外周面２ａ、平面状の左右両側面２ｂおよび平面状の内周面２ｃを有している。
【００１８】
中間柱３は、図３および図５（ａ）に示すように、角柱状の柱本体３１を有している。柱本体３１の内部の上端部近傍には、２つの螺合部３２が柱本体３１と一体に形成されている。
【００１９】
笠木５は、図１および図４（ｂ）〜（ｄ）に示すように、略角柱状の笠木本体５１を有している。笠木本体５１の内周面には、裏板嵌合溝５２が笠木本体５１の全長にわたって形成されている。裏板嵌合溝５２の中央部には、図５（ｂ）〜（ｄ）に示すように、細長い平板状のステンレス製の裏板５６が着脱自在に嵌合しており、裏板５６には、２つの雌ねじ部５６ａが形成されている。また、笠木本体５１の各端部近傍には、それぞれ、２つのボルト挿通孔５３および２つの丸孔５５が形成されている。
【００２０】
さらに、笠木本体５１の裏面には一対のカバー係合溝５７が、裏板嵌合溝５２を挟む形で笠木本体５１の全長にわたって凹設されている。これらのカバー係合溝５７には、中間柱３と干渉する部位を除き、笠木本体５１の全長にわたって内周面カバー５９が着脱自在に取り付けられている。内周面カバー５９は、図５（ｄ）に示すように、平板状のカバー本体５９１と、このカバー本体５９１の幅方向の両端部に一体に立設された一対の係合片５９２と、から構成されている。
【００２１】
また、笠木５は、平面状の外周面５ａ、平面状の左右両側面５ｂおよび平面状の内周面５ｃを有している。なお、カバー係合溝５７に内周面カバー５９が取り付けられた状態では、笠木５の内周面５ｃは、笠木本体５１の内周面および内周面カバー５９のカバー本体５９１の内周面から構成されることになる。
【００２２】
継手６は、図２および図４（ａ）〜（ｃ）に示すように、継手ベース６１および継手カバー６２から構成されている。ここで、継手ベース６１は、略円弧断面状のベース本体６３を有している。ベース本体６３は、曲面状（略円弧断面状）の外周面６３ａおよび曲面状（略円弧断面状）の内周面６３ｂを有している。ベース本体６３の外周面６３ａには２つの補強リブ６４がベース本体６３と一体に形成されている。
【００２３】
また、ベース本体６３の下端部には２つのタッピンねじ挿通孔６３ｃが形成されている。そして、これらのタッピンねじ挿通孔６３ｃに、その上方から２本のタッピンねじ１１を挿通して端部柱２の螺合部２２にねじ込むことにより、継手ベース６１が端部柱２の上端部に固定された状態になる。
【００２４】
さらに、ベース本体６３の上端部には笠木挿入部６５が横向きに連設されており、笠木挿入部６５には、２つの雌ねじ部６５ａおよび２つのボルト挿通孔６５ｂが形成されている。そして、この笠木挿入部６５が笠木５の端部に挿入された状態で、２本の六角ボルト１２を笠木５の端部の下方から笠木５のボルト挿通孔５３に挿通して笠木挿入部６５の雌ねじ部６５ａにねじ込むことにより、継手ベース６１が笠木５の端部に固定された状態になる。
【００２５】
一方、継手カバー６２は、カバー本体６６を有している。カバー本体６６は、曲面状（略円弧断面状）の外周面６６ａおよび平面状の左右両側面６６ｂを有している。カバー本体６６の上部には、２つの笠木差込片６７が横向きに突設されている。各笠木差込片６７には、それぞれ雌ねじ部６７ａが形成されている。そして、継手ベース６１の笠木挿入部６５が笠木５の端部に挿入されるとともに、継手カバー６２の笠木差込片６７が笠木５の端部に差し込まれてカバー本体６６が継手ベース６１を覆い隠した状態で、２本の六角ボルト１３を笠木５の端部の下方から笠木５の丸孔５５および継手ベース６１のボルト挿通孔６５ｂに順に挿通して継手カバー６２の雌ねじ部６７ａにねじ込むことにより、継手カバー６２が継手ベース６１に固定された状態になる。
【００２６】
取付金具７は、図５に示すように、連結部材ベースとしてのステンレス製の金具ベース７１と、連結部材カバーとしてのアルミニウム製の金具カバー７２と、から構成されている。
【００２７】
金具ベース７１は、図５（ａ）に示すように、支柱固定部としての中間柱固定部７３および笠木固定部７４が略Ｔ字形に連設されて構成されている。ここで、笠木固定部７４は、中間柱固定部７３に対して、笠木５の傾斜角度θに等しい角度だけ傾斜している。中間柱固定部７３には２つのタッピンねじ挿通孔７３ａが形成されている。そして、これらのタッピンねじ挿通孔７３ａに、その上方から第１固定手段としてのタッピンねじ１７を挿通して中間柱３の螺合部３２にねじ込むことにより、金具ベース７１が中間柱３の上端部に固定された状態になる。また、笠木固定部７４には２つの皿ねじ挿通孔７４ａが形成されている。そして、笠木５の裏板嵌合溝５２に裏板５６が嵌合した状態で、第２固定手段としての２本の皿ねじ１８を笠木５の中央部の下方から取付金具７の皿ねじ挿通孔７４ａに挿通して裏板５６の雌ねじ部６５ａにねじ込むことにより、金具ベース７１が笠木５の中央部に固定された状態になる。
【００２８】
一方、金具カバー７２は、図３および図５に示すように、金具ベース７１の中間柱固定部７３を収容しつつ、笠木５の傾斜角度θに応じて中間柱３の上端部と笠木５の内周面５ｃとの隙間を埋めるように、傾斜箱状に形成されている。この金具カバー７２の底面には、２つのタッピンねじ挿通孔７２ａが形成されている。そして、これらのタッピンねじ挿通孔７３ａに、その上方から第３固定手段としてのタッピンねじ１７を挿通して中間柱３の螺合部３２にねじ込むことにより、金具カバー７２が中間柱３の上端部に固定された状態になる。
【００２９】
このように、本実施形態では、タッピンねじ１７が第１固定手段と第３固定手段とを兼ねており、図５（ａ）に示すように、中間柱３の上側に金具カバー７２および金具ベース７１の中間柱固定部７３を順に重ねて載置し、タッピンねじ１７で共締めすることにより、金具ベース７１の中間柱固定部７３が金具カバー７２で覆い隠された状態になる。
【００３０】
そして、図１に示すように、左右一対の端部柱２および中間柱３の上側に笠木５が掛け渡されて継手６および取付金具７で連結された状態では、端部柱２および笠木５は、それぞれの外周面２ａ、５ａが継手カバー６２の外周面６６ａと段差を生じることなく面一に、かつ、それぞれの左右両側面２ｂ、５ｂが継手カバー６２の左右両側面６６ｂと段差を生じることなく面一に、継手カバー６２を介して連続しているとともに、それぞれの内周面２ｃ、５ｃが継手ベース６１の内周面６３ｂと段差を生じることなく面一に継手ベース６１を介して連続している。そのため、この手摺り１は、左右一対の端部柱２および笠木５の３つの部材が、実際には２つの継手６を介して逆Ｕ字形に連結されているにもかかわらず、一体につながっているように見えるので、意匠性が向上する。
【００３１】
手摺り１は以上のような構成を有するので、この手摺り１の施工等に際して手摺り１を組み立てるときには、以下に述べるとおり、中間柱取付工程（第１連結部材ベース固定工程、第２連結部材ベース固定工程および連結部材カバー固定工程）、端部柱取付工程、内周面カバー取付工程の順で組立作業を進める。
【００３２】
まず、中間柱取付工程で、第１連結部材ベース固定工程（中間柱取付工程の第１工程）および連結部材カバー固定工程（中間柱取付工程の第３工程）で、図５（ａ）に示すように、中間柱３の上端部に２本のタッピンねじ１７で取付金具７の金具ベース７１および金具カバー７２を固定する。それには、中間柱３の上側に金具カバー７２および金具ベース７１を順に重ねて載置し、この状態で、金具ベース７１のタッピンねじ挿通孔７３ａおよび金具カバー７２タッピンねじ挿通孔７２ａに、その上方からタッピンねじ１７を挿通して中間柱３の螺合部３２にねじ込む。すると、この連結部を中間柱３の下方から見上げると、金具ベース７１の中間柱固定部７３が金具カバー７２に覆い隠された状態になる。
【００３３】
次いで、第２連結部材ベース固定工程（中間柱取付工程の第２工程）に移行し、図５（ｂ）、（ｃ）に示すように、この金具ベース７１の笠木固定部７４を２本の皿ねじ１８で笠木５の中央部に固定する。それには、図５（ｂ）に示すように、笠木５の裏板嵌合溝５２に裏板５６を横から挿入して裏板嵌合溝５２の中央部に位置決めすることにより、笠木５の中央部に裏板５６を取り付ける。この状態で、図５（ｃ）に示すように、２本の皿ねじ１８を笠木５の中央部の下方から取付金具７の皿ねじ挿通孔７４ａに挿通して裏板５６の雌ねじ部５６ａにねじ込む。ここで、中間柱取付工程が終了する。
【００３４】
次に、端部柱取付工程に移行し、笠木５の両端部の下側に端部柱２を取り付ける。それには、図４（ａ）に示すように、端部柱２の上側に継手ベース６１を載置し、この状態で、継手ベース６１のタッピンねじ挿通孔６３ｃに、その上方からタッピンねじ１１を挿通して端部柱２の螺合部２２にねじ込むことにより、各端部柱２の上端部にそれぞれ２本のタッピンねじ１１で継手ベース６１を固定する。
【００３５】
その後、図４（ｂ）に示すように、継手ベース６１の笠木挿入部６５を笠木５の端部に挿入し、この状態で、六角ボルト１２を笠木５の端部の下方から笠木５のボルト挿通孔５３に挿通して笠木挿入部６５の雌ねじ部６５ａにねじ込むことにより、継手ベース６１を笠木５の両端部に２本ずつの六角ボルト１２で固定する。
【００３６】
次いで、図４（ｃ）に示すように、継手カバー６２の笠木差込片６７を笠木５の端部に差し込み、この状態で、図４（ｄ）に示すように、六角ボルト１３を笠木５の端部の下方から笠木５の丸孔５５および継手ベース６１のボルト挿通孔６５ｂに順に挿通して継手カバー６２の雌ねじ部６７ａにねじ込むことにより、各継手ベース６１にそれぞれ、２本の六角ボルト１３で継手カバー６２を継手ベース６１を覆い隠した状態で固定する。すると、笠木５の両端部の下側に端部柱２が取り付けられた状態になる。ここで、端部柱取付工程が終了する。
【００３７】
最後に、内周面カバー取付工程に移行し、図４（ｅ）および図５（ｄ）に示すように、笠木５の笠木本体５１の内周面に内周面カバー５９を六角ボルト１２、１３、取付金具７の笠木固定部７４および皿ねじ１８を覆い隠すように取り付ける。それには、内周面カバー５９の一対の係合片５９２を笠木５の一対のカバー係合溝５７に係合させる。このとき、内周面カバー５９は、中間柱３と干渉する部位を除いて、笠木本体５１の全長にわたって取り付ける。ここで、内周面カバー取付工程が終了する。
【００３８】
その結果、手摺り１は、図１〜図３に示すように、端部連結部位（各端部柱２と笠木５との連結部位）において、継手ベース６１が継手カバー６２で覆い隠されるとともに、六角ボルト１２、１３が内周面カバー５９で覆い隠され、また、中央部連結部位（中間柱３と笠木５との連結部位）において、取付金具７および皿ねじ１８が内周面カバー５９で覆い隠されたノイズレス状態になり、ここで手摺り１の組立作業が完了する。
【００３９】
なお、ここでは、中間柱取付工程、端部柱取付工程の順で組立作業を進めたが、笠木５の端部に切欠きを設けて裏板５６を通すようにすれば、これらの工程の順番を逆にして、端部柱取付工程、中間柱取付工程の順で組立作業を進めることもできる。また、一方の端部柱２を笠木５に取り付けた後、中間柱３を笠木５に取り付けてから、他方の端部柱２を笠木５に取り付けることも可能である。
【００４０】
このような手摺り１は、上述したとおり、端部連結部位において、継手ベース６１が継手カバー６２で覆い隠されるとともに、六角ボルト１２、１３が内周面カバー５９で覆い隠され、また、中央部連結部位において、取付金具７および皿ねじ１８が内周面カバー５９で覆い隠されている。そのため、公知技術１と違って、端部柱２および中間柱３に笠木５が傾斜した状態で掛け渡されている手摺り１において、端部連結部位および中央部連結部位のノイズレス化により、意匠性を向上させることが可能となる。
【００４１】
しかも、金具カバー７２は、笠木５の傾斜角度θに応じて中間柱３の上端部と笠木５の内周面５ｃとの隙間を埋めるように形成されているので、手摺り１の中央部連結部位が見えやすい用途（手摺り１の施工環境）においても、この手摺り１の意匠性を高く維持することができる。
【００４２】
また、手摺り１の組立に際しては、中間柱取付工程の第１連結部材ベース固定工程および連結部材カバー固定工程において、タッピンねじ１７を第１固定手段および第３固定手段として兼用することにより、取付金具７の金具ベース７１および金具カバー７２を同時に中間柱３に固定（共締め）するようにした。そのため、第１連結部材ベース固定工程と連結部材カバー固定工程とを別個に進める場合（金具ベース７１の固定作業と金具カバー７２の固定作業とを時間的に前後させて実行する場合）に比べて、手摺り１を短時間で組み立てることが可能となる。
【００４３】
以上、本発明の実施形態について説明したが、本発明は上述した実施形態に限るものではない。また、本実施形態に記載された効果は、本発明から生じる最も好適な効果を列挙したに過ぎず、本発明による効果は、本実施形態に記載されたものに限定されるものではない。
【００４４】
例えば、上述した実施形態では、笠木５の内周面５ｃの意匠性の向上を目的として、笠木５の内周面５ｃに内周面カバー５９を笠木本体５１の全長にわたって設ける場合について説明した。しかし、例えば、笠木５の内周面５ｃが見えにくい用途においては、必ずしも内周面カバー５９を笠木本体５１の全長にわたって設ける必要はなく、六角ボルト１２、１３、取付金具７および皿ねじ１８のみを覆い隠すように設けても構わない。
【００４５】
また、上述した実施形態では、手摺り１全体の意匠性の向上を目的として、端部柱２、中間柱３、笠木５、継手６および取付金具７の金具カバー７２（つまり、露出している部材）が、すべてアルミニウムから形成されている手摺り１について説明した。しかし、手摺り１として必要な強度を発現できる限り、これらの部材の全部または一部をアルミニウム以外の材料（例えば、合成樹脂、ステンレスなど）から形成してもよい。さらに、手摺り１の用途その他の状況に応じて、これらの部材の表面に粉体塗装などのコーティングを施しても構わない。
【００４６】
また、上述した実施形態では、手摺り１の組立に際して、取付金具７の金具ベース７１および金具カバー７２を中間柱３に共締めする場合について説明したが、金具ベース７１および金具カバー７２を必ずしも共締めする必要はない。
【００４７】
また、上述した実施形態では、中間柱固定部７３および笠木固定部７４が略Ｔ字形に連設された金具ベース７１について説明した。しかし、金具ベース７１の形状は特に限定されるわけではなく、例えば、中間柱固定部７３および笠木固定部７４が略十文字形に連設された金具ベースを代用することもできる。
【００４８】
また、上述した実施形態では、笠木５の内周面５ｃに内周面カバー５９が取り付けられた手摺り１について説明した。このとき、内周面カバー５９のカバー本体５９１を透光性にしておけば、必要に応じて、内周面カバー５９の裏側（笠木５の内部）に照明素子（図示せず）を埋め込むことにより、笠木５の意匠性を高く維持したまま手摺り１に照明機能を付与することもできる。
【００４９】
また、上述した実施形態では、笠木５がその全長にわたって傾斜した手摺り１について説明したが、笠木５の一部が傾斜した手摺りに本発明を同様に適用することも可能である。
【００５０】
また、上述した実施形態では、中間柱３が１本の手摺り１について説明したが、複数（２本以上）の中間柱３を備えている手摺りに本発明を同様に適用することも勿論できる。
【００５１】
また、上述した実施形態では、支柱の一例として中間柱３を取り上げて説明した。しかし、この支柱は、傾斜した笠木５を下から支持する柱であればよく、中間柱３のみならず端部柱２も支柱に含まれる。
【００５２】
さらに、上述した実施形態では、スロープに併設される手摺り１について説明した。しかし、手摺り１の用途（施工場所）はスロープに限るわけではなく、例えば階段に併設される手摺りにも、本発明を同様に適用することができる。
【符号の説明】
【００５３】
１……手摺り
２……端部柱
３……中間柱（支柱）
５……笠木
７……取付金具（連結部材）
１７……タッピンねじ（第１固定手段、第３固定手段）
１８……皿ねじ（第２固定手段）
５１……笠木本体
５９……内周面カバー
７１……金具ベース（連結部材ベース）
７２……金具カバー（連結部材カバー）
７３……中間柱固定部（支柱固定部）
７４……笠木固定部
θ……笠木の傾斜角度
【図１】
2018100570.tif 000003
【図２】
2018100570.tif 000004
【図３】
2018100570.tif 000005
【図４】
2018100570.tif 000006
【図５】
2018100570.tif 000007